(57)【特許請求の範囲】
【請求項１】
脚部と座部と背もたれ（１０）からなる椅子であって、前記座部には座面（１２）の前後方向に座割（１６）と、座面（１２）の横方向に凹状の円弧を設け、さらに前記座面（１２）前後方向全域にわたり、緩やかな凸曲面を設け、前記座面（１２）後方１／３の部分にピークを設けて、後方部分の傾斜をいっそう強くし、座骨直前にあたる位置の座面にゆるい座面部突起（２０）を設けたことを特徴とする禅チェアー。
【請求項２】
前記背もたれ（１０）は、寛骨上部の腸骨稜の高さより、１ｃｍ下がったところに背もたれ部突起（１９）を設け、背もたれ（１０）の中央部を縦に２分割し、左右方向中央に背骨に当たらない間隔を設けてあることを特徴とする請求項１に記載の禅チェアー。
【請求項３】
前記背もたれ（１０）の背もたれ前端と、前記座部座面後方のゆるい座面部突起（２０）の位置関係は、座骨位置・腰部湾曲の寸法により決定されることを特徴とする請求項１または請求項２に記載の禅チェアー。
【請求項４】
請求項１乃至請求項３のいずれか１項に記載の禅チェアーの最終的な寸法を決定するための座り心地試験具（９）であって、
前記座り心地試験具（９）は、背もたれ（１０）と、肘掛（１１）と、座面（１２）と、側板（１７）と、背板（１８）と背もたれ部突起（１９）と、座面部突起（２０）とで構成され、
前記背もたれ（１０）の背中への押圧を調整する背もたれ上部水平位置調整用ハンドル（２１）及び背もたれ下部水平位置調整用ハンドル（２２）と、垂直位置を調整する背もたれ垂直位置調整用ハンドル（２３）と、
前記背もたれ部突起（１９）の突出量を調整する背もたれ突起押出用ハンドル（２４）と、
前記肘掛（１１）の水平位置を調整する肘掛水平位置調整用ハンドル（２５）と、垂直位置を調整する肘掛垂直位置調整用ハンドル（２６）と、
前記座面（１２）の奥行きを調整する座面水平位置調整用ハンドル（２７）と、高さを調整する座面前方垂直位置調整用ハンドル（２８）及び座面後方垂直位置調整用ハンドル（２９）と、
前記座面突起（２０）の突出量を調整する、座面突起押出用ハンドル（３０）を有し、
前記座面（１２）は、座面基本部（１３）と座面延長部（１４）がダボ（１５）によって嵌合され、各人にあった座面延長部（１４）を差し込むことにより座面奥行き調整が可能なように構成され、
骨盤を無理なく・気持ちよく起こし、骨盤から腰椎・胸椎・頸椎・頭を一直線に通すための微調整ができるようにした座り心地試験具（９）。
【発明の詳細な説明】
【技術分野】
【０００１】  座るだけで、骨盤を無理なく起こし、骨盤から腰椎・胸椎・頚椎・頭を一直線に通すことができて、リラックスできる椅子に関するものである。
【背景技術】
【０００２】  人類の祖先が４足歩行から２足歩行に変わると、腰骨をそらしてＳ字状にすることで重心のバランスをとり立位で身体を支えるようになった。このため頭が正しい位置にないと無意識のうちに筋肉が緊張して頭を支えることになる。これが上半身の緊張になり、背骨に歪みを引き起こして猫背や腰痛・肩こり手足の痺れ・冷え性・一部の内臓疾患へと繋がる可能性がある。
椅子生活においては椅子が身体に合わないと座っていて快適性がない・椅子に座っていて度々姿勢を変える・長時間座ると腰が痛くなる・座っていると足先がむくんだり、だるくなったりする・柔らかすぎるソファに座っていたら、いつの間にかソファの上で正座をしていたなどという話しが多い。
自分の身体に合った椅子が欲しいが、市販の椅子に合わせざるを得ない現状であって、結果、リラックスできずに悪い姿勢（体癖）を回復することができない。【０００３】  身体に合わない椅子とは一つ目は「座面の高さ」の問題であり、二つ目は「背もたれの形状と位置」の問題である。
従来の姿勢教育では良い姿勢のみが取り上げられていた。しかし、これだけでは不十分で、正しい姿勢で座ることが大切である。
それを実現させるために、骨盤を無理なく・気持ちよく起こす・骨盤から腰椎・胸椎・頚椎・頭を一直線に通す・深い複式呼吸ができて、リラックスできる形状にすることが必要である。
【先行技術文献】
【特許文献】
【０００４】
【特許文献１】特開平６−１３３８２８
【発明の概要】
【発明が解決しようとする課題】
【０００５】特許文献１に着座者の姿勢がやや後傾あるいは、後傾したとき当該着座者の臀部後面から腰部にかけての部位を安定に保持することができる背もたれによる着座者の支持方法が開示されている。【０００６】発明者は椅子の座り心地を２０年研究している間に、理想の座り方を発見した、それは、日本の伝統的な座禅である。
座禅の座り方は、精神をリラックスさせ集中力を高め、想像力を増すという効果がある。
座禅は氣の流れを重視したもので、座禅を基本とした座り方では、体内を氣が滞ることなく駆け巡り、その結果個々の細胞を活性化させ、自己治癒能力が増すのである。時には、自分の身体の不調を知ることができ、体調維持に効果的である。【０００７】  座禅といえば、良い姿勢というイメージがあるが、姿勢を良くしようとするあまり、胸を張る人を見かける。
しかし「胸を張る」ということと、「腰を反らす」ということは同じではない。
「胸を張る」ことは、上半身の緊張を続けるという意味で、必ずしも健康につながるものではない。
これに対して座禅の座り方では、腰は反るが上半身は完全にリラックスしている。従って、簡単に座禅の腰の反りを再現できる椅子があれば誰でも座禅の効果を期待できる。【０００８】  座禅は身体と心を統一する技術として、禅僧の修行に用いられている。長時間座禅をしながら難しい課題を解く必要があるが、座禅が苦痛であったり、身体にマイナスであれば長時間座ることはできず、課題をこなすこともできない。
上半身の完全なリラックスと、下半身（丹田）に氣を充実させることで氣の通りが良くなり、自分の身体との対話が可能になるのである。
禅の心は宗教的修行だけでなく、茶道・華道・書道・武道等の日本の作法の中にも受け継がれている。
現代では座禅中にα波が出ることは医学的・科学的に解明されている。
本件発明は、座るだけで骨盤を無理なく・気持ちよく起こし、骨盤から腰椎・胸椎・頚椎・頭を一直線に通すことで深い複式呼吸ができて、リラックスできる姿勢を作る、つまり、禅と同じ効果を得ることができる椅子を提供するものである。
【課題を解決するための手段】
【０００９】  この椅子は、仙骨を起立させた上にバランスよく脊椎と頭蓋骨が載り、上半身を支えるのに、ほとんどエネルギーを使うことなく座ること、即ち坐禅の座法の内、上半身の部分を椅子の上で実現するためにデザインしたものである。
具体的には座骨を後方に引き、腰椎を前方に押し出す事が必要となる。
しかし、この姿勢は通常では意識的に姿勢を作らないと実現することはできず、無意識下ではすぐにその形が崩れてしまう。特に座骨結節点が前方にせり出すことで、姿勢が崩れることを防ぐ必要がある。【００１０】  本件発明は、この姿勢を取った時の快適さを増すためと、指圧効果を加える形状を目指したものである。その実現のために次のような改善を行った。
まず第１に、座面（１２）に坐骨を自動的に良い位置に導くことが必要である。そのために中心線として座割（１６）を設けた。
さらに、腰椎を正しい位置に導くためには、前記座面（１２）に接する座骨の安定が大切である。前記座面（１２）の中央に正しく座れるように、前記座面（１２）の横方向に対して［図１］のように正確な円弧を設けた。
背骨の歪みは、片足加重や着座時の脚組み・利き手による鞄保持の癖などにより体重支持のバランスが崩れ、骨盤が傾くことで引き起こされることがあるので、前記座面（１２）の円弧の中心に座ると左右の骨盤が水平に維持され、その結果背骨全体の歪み解消に対して有効に作用することができる。【００１１】  前後方向には、着座時の座骨の痛みを回避するためと、前方に滑り出さないようにするために、［図２］のように座骨直前にあたる位置の前記座面（１２）にゆるい座面部突起（２０）を設けた。【００１２】  第２番目として、背もたれ（１０）支持位置とその身体に対する効果にについて。
従来技術では、背骨のＳ字カーブを作り、仙骨を起立させるために腰椎のみを押し出す構造にしている構成が多いが、この方法では、第３・４腰椎にのみ、ストレスが掛かり負担が大きい。第３・４腰椎のストレスをなくし、後々まで故障無く仙骨を起立させるためには、［図３］のように仙腸関節、及び腸骨稜下端で無理なく支持することが必要である。
そのために寛骨上部の腸骨稜の高さと仙腸関節の位置を測定し、前記背もたれ（１０）上端と下端の位置決めを行なった。この結果、仙骨を無理なく起立させることができる。【００１３】  しかし、個人差によってはまだ骨盤が安定しない場合がある。
［図４］のように前記背もたれ（１０）の腸骨稜と接する部分に背もたれ部突起（１９）を設けることで、前記背もたれ部突起（１９）と、前記座面部突起（２０）が骨盤全体を安定して支えることができる。【００１４】  第３番目として、前記背もたれ（１０）の形状である。
前記背もたれ（１０）は、上半身の動きを制約しない幅で腰を包み込みながら前方に押し出す形状であって、腰を包み込む曲線を平面に近くして上半身の動きを制約しないように構成した。
前記背もたれ部突起（１９）と、前記座面部突起（２０）で骨盤全体を安定して支えることにより前記背もたれ（１０）は［図５］・［図１４］・［図１５］のように横広にする必要はない。
また、前記背もたれ（１０）は、腰椎への直接的な圧迫を避けるため、中央部を分割し、［図５］のような間隙を設けた。さらに、腰椎への直接的な圧迫を避けるため、中央部を２つに分割し、左右方向中央に背骨に当たらないような間隔を持たせた。【００１５】  第４番目として、第１から第３の改善事項のバランスが重要である。前記背もたれ（１０）と前記座面（１２）の前後位置関係が適切でないと正しい姿勢（リラックス）を維持することはできない。
これは最終段階として、座り心地試験具（９）で調整することができるが、これについては後で述べる。【００１６】  この椅子の快適さと、指圧効果を実現させるために、まず、個々人の身体の各部位を採寸することにした。
［図６］に身体各部位の採寸状況（基本寸法の測定）を示す。
採寸の部位は［図７］の表中に記入できるようにして、椅子のカルテと称する。
【発明の効果】
【００１７】  座るだけで骨盤を無理なく・気持ちよく起こし、骨盤から腰椎・胸椎・頚椎・頭を一直線に通すことで深い複式呼吸ができて、リラックスできる姿勢を作る、つまり、禅と同じ効果を得ることができる椅子の使用によって健康維持に役立てることが可能である。
本件発明の椅子を使用した結果、以下のような体感を得ることができた。
（１）骨盤が自然に・気持ちよく起きる。
（２）骨盤から腰椎・胸椎・頚椎・頭が一直線に通る。
（３）深い複式呼吸ができて、リラックスできる。
（４）丹田の位置が自分で確認でき、氣が充実してくるのが分かる。
（５）結果、正しい姿勢になっていることが認識できる。
【図面の簡単な説明】
【００１８】
【図１】座面と骨盤の関係
【図２】座骨直前にあたる位置の座面のゆるい座面突起部
【図３】背もたれ支持位置と仙腸関節、及び腸骨稜下端の関係
【図４】骨盤全体の安定
【図５】背もたれの間隙
【図６】身体各部位の採寸状況（基本寸法の測定）
【図７】椅子のカルテ
【図８】座面突起と背もたれの寸法
【図９】調整の仕組み（第１例）
【図１０】調整の仕組み（第２例）
【図１１】調整の仕組み（第３例）
【図１２】座り心地試験具の構成
【図１３】座面奥行き調整
【図１４】禅チェァー完成図
【図１５】背もたれの斜視図
【発明を実施するための形態】
【００１９】  まず第１に、前記座面（１２）に坐骨を自動的に良い位置に導くことが必要である。そのために中心線として前記座割（１６）を設けた。前記座割（１６）があることで着座時に前記座割（１６）を意識して座るよう促すことが可能となる。
さらに、腰椎を正しい位置に導くため、前記座面（１２）横方向には正確な円弧を設け、骨盤の水平を維持させることで、背骨全体のゆがみを調整する作用が生じる。
【００２０】  さらに、前記座面（１２）前後方向全域にわたり、緩い凸曲面を設け、後方１／３の部分にピークを設けて、後方部分の傾斜をいっそう強くした。
これにより、座骨結節点の局部的な圧力による痛みを逃がし、その上、この前記座面（１２）後方の傾斜が、座骨結節点と恥骨結節点を結ぶ恥骨弓部分の傾斜角と一致し、骨盤を後方へ導き、その結果安定させる力が発生する。
その結果、前記座面（１２）の上で身体が前方に滑り出すのを防ぐことが可能となり、骨盤の上に頭蓋骨がバランスよく載り、鳩尾が緩むという、禅的座り方が実現する。
【００２１】  前後方向には、着座時の座骨の痛みを回避するためと、前方に滑り出さないようにするために、座骨直前にあたる位置の前記座面（１２）に前記ゆるい座面部突起（２０）を設けた。その結果、加重が大殿筋、大腿２頭筋に掛かり、長時間の着座に耐えることができる。
【００２２】  第２番目の、前記背もたれ（１０）支持位置とその身体に対する効果については、寛骨上部の腸骨稜の高さを測定し、その高さより、１ｃｍ下がったところに前記背もたれ部突起（１９）を合わせる。
前記背もたれ（１０）支持位置が腸骨稜より高いと、腰椎にのみ負担が掛かり、腰痛の原因になる。逆に、低すぎると、骨盤を後ろに引く動作が難しくなる。上端だと、少々の誤差で外れてしまうことがある。１ｃｍが誤差の吸収も含め、最適な寸法である。
【００２３】  この部分は仙腸関節の位置であり、仙骨を起立させるのに効果的だと言える。
従来は、腰椎のみを押し出して背骨のＳ字カーブを作っていたが、この方法では、第３・４腰椎にのみ、ストレスが掛かり負担が大きい。
仙腸関節、及び腸骨稜下端で支持することで、無理なく仙骨を起立させることで、骨盤を前傾させることができた。
ここの部位は丹田の裏側に相当し、着座時に、この部分を中心に加圧することで丹田に対する意識を持ちやすくなる利点がある。（参考文献「丹田呼吸」（白隠禅師、村木弘昌）
【００２４】  またここの部位に圧力の中心を持つことで、横隔膜と骨盤底の間隔を広げ、下腹部の容積を最大化せしめ、下腹部の圧を高め、その結果腹式呼吸に入りやすく、姿勢のみならず、呼吸面から禅的座り方を助けるものとなっている。
【００２５】  第３番目の、前記背もたれ（１０）の形状であるが、背もたれは、腰椎への直接的な圧迫を避けるため、中央部を分割し、左右方向中央に背骨に当たらないような間隔を持たせることで、腰椎棘突起への直接刺激を防ぎ、痛みを回避している。この間隙の大きさは肋骨突起周辺に相当し、整体でいうところの「１側」または「ツボ」の位置であるため、背もたれの圧力が高くても痛みを感じることが無いばかりか、ツボへの刺激効果が得られる。この部位は交感神経と、仙部副交感神経の交差点であり、周辺の脊椎起立筋をし、緊張を緩めることで自律神経のバランスを整える。
【００２６】  具体的には第２・３腰椎間に背もたれ加重の中心点を配置することで、腎愉への指圧効果が生じる。
前記背もたれ（１０）上端を第９・１０胸椎間に設定することで、肝愉への指圧効果が生じる。
これらの寸法は、椅子のカルテ（７）の２・３腰椎高、９・１０胸椎高より求められる。
【００２７】  第４番目の、第１から第３の改善事項のバランスが重要である。前記背もたれ（１０）と前記座面（１２）の前後位置関係が適切でないと正しい姿勢（リラックス）を維持することはできない。
前記背もたれ（１０）前端と、前記座面（１２）後方のピークの位置関係は、［図８］で示す関係となるが、この寸法は前記椅子のカルテ（７）の「骨盤位置−腰部湾曲」の寸法により確定することができる。
【００２８】  最後は、椅子のカルテで求められた寸法を基に、座り心地試験具（９）を寸法どおりに設定し、実際に座ってみながら、微調整して最終的な寸法を決定する。
【００２９】  さて、座り心地試験具（９）であるが、前記座り心地試験具（９）は最終的な微調整を行なうために用いるものであるので、可動部（２）はミリメートル単位で調整できなければならない。調整箇所が多いため、全体図を簡略化することにした。
【００３０】  まず先に、調整の仕組みであるが、［図９］から［図１１］のような簡単な構成にしてある。
［図９］は、可動部（２）に穴（７）を空けてナット（６）を設け、ボルト（８）を通しておく。前記ボルト（８）の先には固定部（１）を貫通して、ハンドル（４）が設けられている。前記ハンドル（４）を回すと、前記可動部（２）は矢印で示す方向に摺動する。摺動量はスケール（５）に表される。
［図１０］は、前記可動部（２）に直接加工が難しい場合に用いているが、前記可動部（２）に可動部部材（３）を取り付けたもので、前記可動部部材（３）を固定部（１）で取り囲むような構成である。前記可動部部材（３）は［図１１］のように前記穴（７）を空けて前記ナット（６）を設け、前記ボルト（８）を通してあるだけである。この場合の穴は貫通穴である。
［図１１］は、前記ボルト（８）で可動対象を直接押し出すもので、可動対象を痛めぬよう、前記可動部（２）を設けた。図では球体を用いたが、形状にこだわる必要はない。前記固定部（１）には［図９］・［図１０］の前記可動部（２）と同様に、前記穴（７）を空けて前記ナット（６）を設け、前記ボルト（８）を通してあるだけである。この場合の穴ももちろん貫通穴である。
調整の仕組みはこの他にもいろいろ考えられるが、ここでは簡単にできるものとして３つの例を記した。
【００３１】  ［図１２］に前記座り心地試験具（９）の概略構成を示す。
前記座り心地試験具（９）の基本構成は、背もたれ（１０）と、肘掛（１１）と、座面（１２）であり、これらを側板（１７）と背板（１８）で支えている。［図１２］は、左側板を外した状態である。
前記背もたれ（１０）は背中への押圧を、背もたれ上部水平位置調整用ハンドル（２１）と背もたれ下部水平位置調整用ハンドル（２２）で行い、垂直位置は、背もたれ垂直位置調整用ハンドル（２３）で調整する。
背もたれ部突起（１９）の突出量は、背もたれ突起押出用ハンドル（２４）で調整する。
前記肘掛（１１）は、肘掛水平位置調整用ハンドル（２５）と、肘掛垂直位置調整用ハンドル（２６）で調整する。
前記座面（１２）は、座面水平位置調整用ハンドル（２７）で奥行きを調整し、座面前方垂直位置調整用ハンドル（２８）と、座面後方垂直位置調整用ハンドル（２９）で高さと傾斜を調整する。座面部突起（２０）の突出量は、座面突起押出用ハンドル（３０）で調整する。
【００３２】  ［図１３］に前記座り心地試験具（９）の座面奥行き調整を示す。斜線部分は、調整の仕組みがわかりやすいよう断面図にした。
膝裏には繊細な神経、リンパ、血管等が集中しているので、圧迫しない方がよい。また、深く腰をひくために上腿長より短くなければならない。最低でも２ｃｍは短くすべきである。
前記座面（１２）は、座面基本部（１３）と座面延長部（１４）とダボ（１５）と前記座面部突起（２０）から構成される。
前記座面（１２）の座面奥行き調整は座面延長部（１４）の交換によって行なう。
前記座面基本部（１３）と前記座面延長部（１４）は、前記ダボ（１５）によって嵌合されているだけなので、前記座り心地試験具（９）の正面から前記座面延長部（１４）の前縁部を持ち、引き抜いて、各人にあった座面延長部（１４）を差し込むだけである。
【００３３】  この発明により完成した禅チェアーを［図１４］に記す。
【符号の説明】
【００３４】１    固定部
２    可動部
３    可動部部材
４    ハンドル
５    スケール
６    ナット
７    穴
８    ボルト
９    座り心地試験具
１０  背もたれ
１１  肘掛
１２  座面
１３  座面基本部
１４  座面延長部
１５  ダボ
１６  座割
１７  側板
１８  背板
１９  背もたれ部突起
２０  座面部突起
２１  背もたれ上部水平位置調整用ハンドル
２２  背もたれ下部水平位置調整用ハンドル
２３  背もたれ垂直位置調整用ハンドル
２４  背もたれ突起押出用ハンドル
２５  肘掛水平位置調整用ハンドル
２６  肘掛垂直位置調整用ハンドル
２７  座面水平位置調整用ハンドル
２８  座面前方垂直位置調整用ハンドル
２９  座面後方垂直位置調整用ハンドル
３０  座面突起押出用ハンドル
【図１】
0006596764.tif 000002
【図２】
0006596764.tif 000003
【図３】
0006596764.tif 000004
【図４】
0006596764.tif 000005
【図５】
0006596764.tif 000006
【図６】
0006596764.tif 000007
【図７】
0006596764.tif 000008
【図８】
0006596764.tif 000009
【図９】
0006596764.tif 000010
【図１０】
0006596764.tif 000011
【図１１】
0006596764.tif 000012
【図１２】
0006596764.tif 000013
【図１３】
0006596764.tif 000014
【図１４】
0006596764.tif 000015
【図１５】
0006596764.tif 000016